【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
支柱と、この支柱に一端部で鉛直面内で回動自在に支持されたアーム手段と、このアーム手段の他端部に取り付けられており、アーム手段の一方の方向の回動により完全開扉位置に向かって跳ね上げ方向に移動する一方、アーム手段の他方の方向の回動により完全閉扉位置に向かって下げ方向に移動する扉と、この扉の移動に抗する抵抗力を扉に付与する抵抗力付与手段とを具備しており、抵抗力付与手段は、扉の跳ね上げ方向の移動に抗する抵抗力を生じる抵抗力発生機構と、この抵抗力発生機構に扉の完全開扉直前位置から完全開扉位置に向かう跳ね上げ方向の移動に抗する抵抗力を生じさせるべく完全開扉直前位置から跳ね上げ方向に移動する扉と抵抗力発生機構とを連結状態にする一方、完全開扉直前位置よりも完全閉扉位置側に位置する扉と抵抗力発生機構とを非連結状態にする連結機構と、扉の下げ方向の移動に抗する抵抗力を生じる他の抵抗力発生機構と、この他の抵抗力発生機構に扉の完全閉扉直前位置から完全閉扉位置に向かう下げ方向の移動に抗する抵抗力を生じさせるべく完全閉扉直前位置から下げ方向に移動する扉と他の抵抗力発生機構とを連結状態にする一方、完全閉扉直前位置よりも完全開扉位置側に位置する扉と他の抵抗力発生機構とを非連結状態にする他の連結機構とを具備しており、他の抵抗力発生機構は、一方の隙間形成体と、この一方の隙間形成体に対して相対的に回転自在であると共に当該一方の隙間形成体と協同して隙間を形成している他方の隙間形成体と、一方の隙間形成体と他方の隙間形成体とによって形成された隙間に収容されていると共に当該他方の隙間形成体の当該一方の隙間形成体に対する相対的な回転により抵抗力を生じる粘性体とを具備しており、他の連結機構は、回転により他方の隙間形成体を回転させるように当該他方の隙間形成体に取り付けられている歯車と、扉が完全閉扉直前位置に位置した際に歯車に歯合する一方、扉が完全閉扉直前位置よりも完全開扉位置側に位置した際に前記歯合が解除されるようにアーム手段に取り付けられている歯列部材とを具備しており、歯列部材は、扉の完全閉扉直前位置から完全閉扉位置に向かう下げ方向の移動に抗する抵抗力を他の抵抗力発生機構に生じさせるべく、歯車との歯合状態においてアーム手段の他方の方向の回動を回転力として当該歯車に伝達するように配されており、他の抵抗力発生機構は、アーム手段の他方の方向の回動に基づく歯車の一方の方向の回転を他方の隙間形成体に伝達するように当該歯車と当該他方の隙間形成体を連結する一方、アーム手段の一方の方向の回動に基づく歯車の他方の方向の回転により前記連結を解除するように当該歯車と当該他方の隙間形成体との間に介在されている一方向クラッチを具備している跳ね上げ式門扉。
【請求項２】
扉及びアーム手段の自重に抗する跳ね上げ方向の弾性力をアーム手段に付与する弾性力付与手段を具備している請求項１に記載の跳ね上げ式門扉。
【請求項３】
歯車は、他方の隙間形成体に固着されていると共に周縁に複数の歯を有している歯車部材と、この歯車部材の歯よりも歯車の回転方向において変位して配された複数の歯を周縁に有していると共に当該歯車の回転方向において当該歯車部材に対して可動となるように当該歯車部材に隣接している可動歯車部材と、アーム手段の他方の方向の回動に基づく歯車の回転方向とは逆の回転方向に向かって当該可動歯車部材を弾性的に付勢する付勢手段とを具備している請求項１又は２に記載の跳ね上げ式門扉。
【請求項４】
付勢手段は、歯車部材及び可動歯車部材のうちの一方に設けられていると共に当該歯車部材及び可動歯車部材のうちの他方に向かって突出しているピンと、アーム手段の他方の方向の回動に基づく当該歯車の回転方向とは逆の回転方向に向かって当該ピンを弾性的に付勢するように当該歯車部材及び可動歯車部材のうちの他方に設けられている付勢部材とを具備している請求項３に記載の跳ね上げ式門扉。
【請求項５】
支柱と、この支柱に一端部で鉛直面内で回動自在に支持されたアーム手段と、このアーム手段の他端部に取り付けられており、アーム手段の一方の方向の回動により完全開扉位置に向かって跳ね上げ方向に移動する一方、アーム手段の他方の方向の回動により完全閉扉位置に向かって下げ方向に移動する扉と、この扉の移動に抗する抵抗力を扉に付与する抵抗力付与手段とを具備しており、抵抗力付与手段は、扉の跳ね上げ方向の移動に抗する抵抗力を生じる抵抗力発生機構と、この抵抗力発生機構に扉の完全開扉直前位置から完全開扉位置に向かう跳ね上げ方向の移動に抗する抵抗力を生じさせるべく完全開扉直前位置から跳ね上げ方向に移動する扉と抵抗力発生機構とを連結状態にする一方、完全開扉直前位置よりも完全閉扉位置側に位置する扉と抵抗力発生機構とを非連結状態にする連結機構と、扉の下げ方向の移動に抗する抵抗力を生じる他の抵抗力発生機構と、この他の抵抗力発生機構に扉の完全閉扉直前位置から完全閉扉位置に向かう下げ方向の移動に抗する抵抗力を生じさせるべく完全閉扉直前位置から下げ方向に移動する扉と他の抵抗力発生機構とを連結状態にする一方、完全閉扉直前位置よりも完全開扉位置側に位置する扉と他の抵抗力発生機構とを非連結状態にする他の連結機構とを具備しており、他の抵抗力発生機構は、一方の隙間形成体と、この一方の隙間形成体に対して相対的に回転自在であると共に当該一方の隙間形成体と協同して隙間を形成している他方の隙間形成体と、一方の隙間形成体と他方の隙間形成体とによって形成された隙間に収容されていると共に当該他方の隙間形成体の当該一方の隙間形成体に対する相対的な回転により抵抗力を生じる粘性体とを具備しており、他の連結機構は、回転により他方の隙間形成体を回転させるように当該他方の隙間形成体に取り付けられている歯車と、扉が完全閉扉直前位置に位置した際に他の連結機構の歯車に歯合する一方、扉が完全閉扉直前位置よりも完全開扉位置側に位置した際に前記歯合が解除されるようにアーム手段に取り付けられている歯列部材とを具備しており、歯列部材は、扉の完全閉扉直前位置から完全閉扉位置に向かう下げ方向の移動に抗する抵抗力を他の抵抗力発生機構に生じさせるべく、歯車との歯合状態においてアーム手段の他方の方向の回動を回転力として当該歯車に伝達するように配されており、歯車は、他方の隙間形成体に固着されていると共に周縁に複数の歯を有している歯車部材と、この歯車部材の歯よりも歯車の回転方向において変位して配された複数の歯を周縁に有していると共に当該歯車の回転方向において当該歯車部材に対して可動となるように当該歯車部材に隣接している可動歯車部材と、アーム手段の他方の方向の回動に基づく歯車の回転方向とは逆の回転方向に向かって当該可動歯車部材を弾性的に付勢する付勢手段とを具備している跳ね上げ式門扉。
【請求項６】
扉及びアーム手段の自重に抗する跳ね上げ方向の弾性力をアーム手段に付与する弾性力付与手段を具備している請求項５に記載の跳ね上げ式門扉。
【請求項７】
付勢手段は、歯車部材及び可動歯車部材のうちの一方に設けられていると共に当該歯車部材及び可動歯車部材のうちの他方に向かって突出しているピンと、アーム手段の他方の方向の回動に基づく当該歯車の回転方向とは逆の回転方向に向かって当該ピンを弾性的に付勢するように当該歯車部材及び可動歯車部材のうちの他方に設けられている付勢部材とを具備している請求項５又は６に記載の跳ね上げ式門扉。
【請求項８】
支柱と、この支柱に一端部で鉛直面内で回動自在に支持されたアーム手段と、このアーム手段の他端部に取り付けられており、アーム手段の一方の方向の回動により完全開扉位置に向かって跳ね上げ方向に移動する一方、アーム手段の他方の方向の回動により完全閉扉位置に向かって下げ方向に移動する扉と、この扉の移動に抗する抵抗力を扉に付与する抵抗力付与手段とを具備しており、抵抗力付与手段は、扉の下げ方向の移動に抗する抵抗力を生じる抵抗力発生機構と、この抵抗力発生機構に扉の完全閉扉直前位置から完全閉扉位置に向かう下げ方向の移動に抗する抵抗力を生じさせるべく完全閉扉直前位置から下げ方向に移動する扉と抵抗力発生機構とを連結状態にする一方、完全閉扉直前位置よりも完全開扉位置側に位置する扉と抵抗力発生機構とを非連結状態にする連結機構とを具備しており、抵抗力発生機構は、一方の隙間形成体と、この一方の隙間形成体に対して相対的に回転自在であると共に当該一方の隙間形成体と協同して隙間を形成している他方の隙間形成体と、一方の隙間形成体と他方の隙間形成体とによって形成された隙間に収容されていると共に当該他方の隙間形成体の当該一方の隙間形成体に対する相対的な回転により抵抗力を生じる粘性体とを具備しており、連結機構は、回転により他方の隙間形成体を回転させるように当該他方の隙間形成体に取り付けられている歯車と、扉が完全閉扉直前位置に位置した際に歯車に歯合する一方、扉が完全閉扉直前位置よりも完全開扉位置側に位置した際に前記歯合が解除されるようにアーム手段に取り付けられている歯列部材とを具備しており、歯列部材は、扉の完全閉扉直前位置から完全閉扉位置に向かう下げ方向の移動に抗する抵抗力を抵抗力発生機構に生じさせるべく、歯車との歯合状態においてアーム手段の他方の方向の回動を回転力として当該歯車に伝達するように配されており、抵抗力発生機構は、アーム手段の他方の方向の回動に基づく歯車の一方の方向の回転を他方の隙間形成体に伝達するように当該歯車と当該他方の隙間形成体を連結する一方、アーム手段の一方の方向の回動に基づく歯車の他方の方向の回転により前記連結を解除するように当該歯車と当該他方の隙間形成体との間に介在されている一方向クラッチを具備している跳ね上げ式門扉。
【請求項９】
扉及びアーム手段の自重に抗する跳ね上げ方向の弾性力をアーム手段に付与する弾性力付与手段を具備している請求項８に記載の跳ね上げ式門扉。
【請求項１０】
歯車は、他方の隙間形成体に固着されていると共に周縁に複数の歯を有している歯車部材と、この歯車部材の歯よりも歯車の回転方向において変位して配された複数の歯を周縁に有していると共に当該歯車の回転方向において当該歯車部材に対して可動となるように当該歯車部材に隣接している可動歯車部材と、アーム手段の他方の方向の回動に基づく歯車の回転方向とは逆の回転方向に向かって当該可動歯車部材を弾性的に付勢する付勢手段とを具備している請求項８又は９に記載の跳ね上げ式門扉。
【請求項１１】
付勢手段は、歯車部材及び可動歯車部材のうちの一方に設けられていると共に当該歯車部材及び可動歯車部材のうちの他方に向かって突出しているピンと、アーム手段の他方の方向の回動に基づく当該歯車の回転方向とは逆の回転方向に向かって当該ピンを弾性的に付勢するように当該歯車部材及び可動歯車部材のうちの他方に設けられている付勢部材とを具備している請求項１０に記載の跳ね上げ式門扉。
【請求項１２】
支柱と、この支柱に一端部で鉛直面内で回動自在に支持されたアーム手段と、このアーム手段の他端部に取り付けられており、アーム手段の一方の方向の回動により完全開扉位置に向かって跳ね上げ方向に移動する一方、アーム手段の他方の方向の回動により完全閉扉位置に向かって下げ方向に移動する扉と、この扉の移動に抗する抵抗力を扉に付与する抵抗力付与手段とを具備しており、抵抗力付与手段は、扉の下げ方向の移動に抗する抵抗力を生じる抵抗力発生機構と、この抵抗力発生機構に扉の完全閉扉直前位置から完全閉扉位置に向かう下げ方向の移動に抗する抵抗力を生じさせるべく完全閉扉直前位置から下げ方向に移動する扉と抵抗力発生機構とを連結状態にする一方、完全閉扉直前位置よりも完全開扉位置側に位置する扉と抵抗力発生機構とを非連結状態にする連結機構とを具備しており、抵抗力発生機構は、一方の隙間形成体と、この一方の隙間形成体に対して相対的に回転自在であると共に当該一方の隙間形成体と協同して隙間を形成している他方の隙間形成体と、一方の隙間形成体と他方の隙間形成体とによって形成された隙間に収容されていると共に当該他方の隙間形成体の当該一方の隙間形成体に対する相対的な回転により抵抗力を生じる粘性体とを具備しており、連結機構は、回転により他方の隙間形成体を回転させるように当該他方の隙間形成体に取り付けられている歯車と、扉が完全閉扉直前位置に位置した際に歯車に歯合する一方、扉が完全閉扉直前位置よりも完全開扉位置側に位置した際に前記歯合が解除されるようにアーム手段に取り付けられている歯列部材とを具備しており、歯列部材は、扉の完全閉扉直前位置から完全閉扉位置に向かう下げ方向の移動に抗する抵抗力を抵抗力発生機構に生じさせるべく、歯車との歯合状態においてアーム手段の他方の方向の回動を回転力として当該歯車に伝達するように配されており、歯車は、他方の隙間形成体に固着されていると共に周縁に複数の歯を有している歯車部材と、この歯車部材の歯よりも歯車の回転方向において変位して配された複数の歯を周縁に有していると共に当該歯車の回転方向において当該歯車部材に対して可動となるように当該歯車部材に隣接している可動歯車部材と、アーム手段の他方の方向の回動に基づく歯車の回転方向とは逆の回転方向に向かって当該可動歯車部材を弾性的に付勢する付勢手段とを具備している跳ね上げ式門扉。
【請求項１３】
扉及びアーム手段の自重に抗する跳ね上げ方向の弾性力をアーム手段に付与する弾性力付与手段を具備している請求項１２に記載の跳ね上げ式門扉。
【請求項１４】
付勢手段は、歯車部材及び可動歯車部材のうちの一方に設けられていると共に当該歯車部材及び可動歯車部材のうちの他方に向かって突出しているピンと、アーム手段の他方の方向の回動に基づく当該歯車の回転方向とは逆の回転方向に向かって当該ピンを弾性的に付勢するように当該歯車部材及び可動歯車部材のうちの他方に設けられている付勢部材とを具備している請求項１２又は１３に記載の跳ね上げ式門扉。
【請求項１５】
支柱と、この支柱に一端部で鉛直面内で回動自在に支持されたアーム手段と、このアーム手段の他端部に取り付けられており、アーム手段の一方の方向の回動により完全開扉位置に向かって跳ね上げ方向に移動する一方、アーム手段の他方の方向の回動により完全閉扉位置に向かって下げ方向に移動する扉と、この扉の移動に抗する抵抗力を扉に付与する抵抗力付与手段とを具備しており、抵抗力付与手段は、扉の跳ね上げ方向の移動に抗する抵抗力を生じる抵抗力発生機構と、この抵抗力発生機構に扉の完全開扉直前位置から完全開扉位置に向かう跳ね上げ方向の移動に抗する抵抗力を生じさせるべく完全開扉直前位置から跳ね上げ方向に移動する扉と抵抗力発生機構とを連結状態にする一方、完全開扉直前位置よりも完全閉扉位置側に位置する扉と抵抗力発生機構とを非連結状態にする連結機構と、扉の下げ方向の移動に抗する抵抗力を生じる他の抵抗力発生機構と、この他の抵抗力発生機構に扉の完全閉扉直前位置から完全閉扉位置に向かう下げ方向の移動に抗する抵抗力を生じさせるべく完全閉扉直前位置から下げ方向に移動する扉と他の抵抗力発生機構とを連結状態にする一方、完全閉扉直前位置よりも完全開扉位置側に位置する扉と他の抵抗力発生機構とを非連結状態にする他の連結機構とを具備している跳ね上げ式門扉。
【請求項１６】
扉及びアーム手段の自重に抗する跳ね上げ方向の弾性力をアーム手段に付与する弾性力付与手段を具備している請求項１５に記載の跳ね上げ式門扉。